(57)【要約】【課題】複数のドレン排水路を１つに集約した貯湯式給湯装置を提供する。【解決手段】貯湯タンク１内の過圧を逃がすと共に負圧を破壊する負圧弁付き逃がし弁４３と、前記貯湯タンク１底部に連通し該貯湯タン１内の湯水を排水する排水栓４４と、湯張り管１３に接続し断水時に風呂循環回路１５内の浴槽水が給水側に流入するのを阻止するホッパー弁２１とを備えたもので、前記負圧弁付き逃がし弁４３に接続した逃がしドレンホース４６と、前記排水栓４４に接続した排水ドレンホース４７と、前記ホッパー弁２１に接続したホッパードレンホース２２とがそれぞれ接続される１つの集水器４５を備え、この集水器４５の蓋体５０には下方の排水口５１と対向する位置には排水量が多い排水ドレンホース４７の接続口５２を設け、排水口５１から外れた位置には排水量が少ない逃がしドレンホース４６の接続口５４とホッパードレンホース２２の接続口５５を設けた。【選択図】  図３
2014062718.tif 000002
【特許請求の範囲】
【請求項１】
湯水を貯湯する貯湯タンクと、該貯湯タンク内の湯水を加熱する加熱手段と、前記貯湯タンク内の過圧を逃がすと共に負圧を破壊する負圧弁付き逃がし弁と、前記貯湯タンク底部に連通し該貯湯タン内の湯水を排水する排水栓と、給湯管から分岐し風呂循環回路に接続して風呂の湯張りを行う湯張り管と、前記湯張り管に接続し断水時に風呂循環回路内の浴槽水が給水側に流入するのを阻止するホッパー弁とを備えたものに於いて、前記負圧弁付き逃がし弁に接続した逃がしドレンホースと、前記排水栓に接続した排水ドレンホースと、前記ホッパー弁に接続したホッパードレンホースとがそれぞれ接続される１つの集水器を備え、この集水器の蓋体には下方の排水口と対向する位置には排水量が多い排水ドレンホースの接続口を設け、排水口から外れた位置には排水量が少ない逃がしドレンホースの接続口とホッパードレンホースの接続口を設けた事を特徴とする貯湯式給湯装置。
【請求項２】
前記逃がしドレンホースの接続口は、蓋体上に立設した挿入部と鍔部とから構成され、鍔部と蓋体との間には吸気孔が形成されている事を特徴とする請求項１記載の貯湯式給湯装置。
【発明の詳細な説明】
【技術分野】
【０００１】
この発明は、複数のドレンホースを１つの集水器に集約して器具外には１本の排水管のみを露呈させるようにした貯湯式給湯装置に関するものである。
【背景技術】
【０００２】
従来よりこの種の貯湯式給湯装置に於いては、漏水を受けるドレンパンの排水ホースと、貯湯タンク内の水抜き用で前記ドレンパンを貫通した排水管とを、ホース固定具で固定して排水溝上に隣接して固定することで、施工性を向上させるものであった。（特許文献１参照。）
【先行技術文献】
【特許文献】
【０００３】
【特許文献１】特開２０１０−２４９４５０号公報
【発明の概要】
【発明が解決しようとする課題】
【０００４】
ところでこの従来のものでは、排水ホースとしては２本のホースが器具外に露呈しており、又貯湯タンクに接続する過圧逃がし弁のホースも別に出ていることとなり、排水用のホースが多く露呈して見た目が良くなく、更に貯湯タンク内の湯水の排水を行い排水量が多い排水管の位置も、排水溝に対して特定されていないので、排水が排水溝から溢れ出す危険も有するものであった。
【課題を解決するための手段】
【０００５】
この発明はこの点に着目し上記課題を解決する為、特にその構成を、湯水を貯湯する貯湯タンクと、該貯湯タンク内の湯水を加熱する加熱手段と、前記貯湯タンク内の過圧を逃がすと共に負圧を破壊する負圧弁付き逃がし弁と、前記貯湯タンク底部に連通し該貯湯タン内の湯水を排水する排水栓と、給湯管から分岐し風呂循環回路に接続して風呂の湯張りを行う湯張り管と、前記湯張り管に接続し断水時に風呂循環回路内の浴槽水が給水側に流入するのを阻止するホッパー弁とを備えたものに於いて、前記負圧弁付き逃がし弁に接続した逃がしドレンホースと、前記排水栓に接続した排水ドレンホースと、前記ホッパー弁に接続したホッパードレンホースとがそれぞれ接続される１つの集水器を備え、この集水器の蓋体には下方の排水口と対向する位置には排水量が多い排水ドレンホースの接続口を設け、排水口から外れた位置には排水量が少ない逃がしドレンホースの接続口とホッパードレンホースの接続口を設けたものである。
【０００６】
又請求項２では、前記逃がしドレンホースの接続口は、蓋体上に立設した挿入部と鍔部とから構成され、鍔部と蓋体との間には吸気孔が形成されているものである。
【発明の効果】
【０００７】
以上のようにこの発明によれば、３本のドレンホースが１つの集水器に集約され、排水管は排水口からの１本のみで済み、見苦しくなく見栄えが良いものであり、更に排水量の多い排水ドレンホースの接続口を排水口と対向する位置に設けられ、排水量が少ない逃がしドレンホースの接続口とホッパードレンホースの接続口は、排水口から外れた位置に設けられているので、排水が溢れ出る心配がなく安心して使用出来るものである。
【０００８】
又請求項２によれば、負圧弁付き逃がし弁の吸気孔が確実に確保されるので、貯湯タンク内が負圧となる万一の時でも該貯湯タンクに空気を供給して破損を防止することが出来るものであり、更に吸気孔は鍔部と蓋体との間に形成されているので、ホースで閉塞される心配がなく塵詰まりもなく長期に渡って安心して使用出来るものである。
【図面の簡単な説明】
【０００９】
【図１】この発明の一実施形態の概略構成図。
【図２】同要部の説明図。
【図３】同集水器の斜視図。
【図４】同集水器の蓋体の斜視図。
【図５】同集水器の断面図。
【発明を実施するための形態】
【００１０】
次にこの発明の一実施形態を図示した貯湯式給湯装置に基づいて説明する。
１は円筒状の貯湯タンクで、二酸化炭素冷媒を用いたヒーポンユニットから成る加熱手段２を利用し、時間帯別契約電力の電力単価が安価な深夜時間帯に湯水を沸き上げて貯湯するものであり、下部には給水を補給する給水管３が接続し、上部には貯湯した高温水を給湯栓（図示せず）等に出湯する出湯管４が接続されている。
【００１１】
５は一方に出湯管４を、他方には給水管３から分岐した第１給水バイパス管６を、中央には給湯管７が接続した電動三方弁から成る給湯混合弁で、出湯管４からの高温水と第１給水バイパス管６からの給水とを混合して、台所リモコン８で設定された給湯設定温度となるようにして供給するものであり、給湯管７に備えた給湯サーミスタ９による給湯温度と給水温度と給湯設定温度から、出湯管４の湯側開度と第１給水バイパス管６の水側開度をフィードフォワード制御で調整するものである。
【００１２】
１０は一方には出湯管４から分岐した風呂出湯管１１を接続し、他方には第１給水バイパス管６から分岐した第２給水バイパス管１２を、中央には湯張り管１３を接続した電動三方弁から成る風呂混合弁で、風呂出湯管１１からの高温水と第２給水バイパス管１２からの給水とを混合して、浴室リモコン１４で設定された設定温度となるようにして湯張り等の風呂給湯するものであり、出湯温度と給水温度と風呂設定温度とから、風呂出湯管１１の湯側開度と第２給水バイパス管１２の水側開度を、フィードフォワード制御で調整して湯張り管１３に風呂設定温度の湯水を供給し、この湯張り管１３が連通した風呂循環回路１５を介して浴槽１６に設定温度で設定量の湯張りや足し湯を行うものである。
【００１３】
１７は湯張り管１３に備えられ湯張りされる流量をカウントする湯張りフローセンサで、下流に備えられた湯張り電磁弁１８の開成でカウントを開始するものであり、又この湯張り管１３の更に下流には、湯張り方向の流通は許容するが逆の流通を阻止する２つの逆止弁１９、２０が設けられ、この２つの逆止弁１９、２０の間と、風呂混合弁１０と湯張りフローセンサ１７との間に連通しホッパー弁２１を有したゴム或いは樹脂性のホッパードレンホース２２が備えられている。
【００１４】
前記浴槽１６と貯湯タンク１内上部に備えられた風呂熱交換器２３とを結ぶ風呂循環回路１５には、湯張り管１３が接続している近傍に浴槽水温度を検知する風呂サーミスタ２４と、残水の有無を検知する風呂フローセンサ２５が備えられている。２６は浴水を浴槽１６と風呂熱交換器２３間を循環させて加熱する自吸式の風呂循環ポンプ、２７は浴槽１６内の水位を検知する水位センサ、２８は風呂熱交換器２３をバイパスするバイパス管２９に備えられた風呂三方弁で、浴水を風呂熱交換器２３側を通すか、通さずにバイパス管２９側を通すかを切替るようにしたものであり、浴槽１６からの浴水が風呂循環ポンプ２６の駆動で吸引されて、風呂熱交換器２３の上側から該風呂熱交換器２３内に流入し、風呂熱交換器２３の下側から流出して風呂三方弁２８及び風呂循環ポンプ２６を介して浴槽１６に戻る循環を行い、特に風呂熱交換器２３内を上から下へと流通することにより、温度降下した貯湯水と接することが避けられ、常に高温の貯湯水とのみ熱交換出来、極めて効率が良くなるものである。
【００１５】
３０は台所リモコン８や浴室リモコン１４と接続し給湯や風呂の湯張り、足し湯等の制御を行うマイコンから成る制御手段で、入力側には各種センサ類が接続されると共に、外気温を検知する外気温センサ３１が接続され、外気温が０℃以下に低下すると凍結防止運転を開始し、風呂三方弁２８をバイパス管２９側開として風呂循環ポンプ２６を最低回転数で１０分間駆動して停止し、風呂フローセンサ２５が残水検知していたかどうかをみて、残水なしで風呂三方弁２８を風呂熱交換器２３側開として、１０分間放置してこの間に風呂熱交換器２３内の残水を排水して凍結を防止するものであり、又風呂フローセンサ２５が残水ありでは更に１０分間バイパス管２９側を開とする制御を行うものである。
【００１６】
３２は給水管３に備えられ給水温度を検知する給水サーミスタ、３３は給水圧を減圧するための減圧弁である。
３４は貯湯タンク１と加熱手段２とを湯水が循環可能に接続する往き管３５と戻り管３６と加熱循環ポンプ３７とで構成された加熱循環回路である。
３８、３９、４０、４１、４２は貯湯タンク１外周面の上下に備えられた貯湯温度センサであり、４３は出湯管４に備えられ前記貯湯タンク１内の過圧を逃がすと共に負圧を破壊する負圧弁付き逃がし弁である。
４４は前記貯湯タンク１底部に連通し適宜該湯タン１内の湯水を排水する可能とする手動の排水栓である。
【００１７】
４５は前記負圧弁付き逃がし弁４３に接続したゴム或いは樹脂性の逃がしドレンホース４６と、前記排水栓４４に接続したゴム或いは樹脂性の排水ドレンホース４７と、前記ホッパー弁２１に接続したホッパードレンホース２２とがそれぞれ接続される１つの集水器で、漏斗状の受け部４８と該受け部４８を両側の弾性係止部４９で係止して上面を覆うようにした蓋体５０とから構成され、この蓋体５０の受け部４８下方の排水口５１と対向する真上の位置には、排水量が多い排水ドレンホース４７の接続口５２が形成され、更に受け部４８内面の排水口５１に向かって下り傾斜した傾斜面５３と対向し、排水口５１から外れた蓋体５０上面には、排水量が少ない逃がしドレンホース４６の接続口５４とホッパードレンホース２２の接続口５５を設けたものであり、又前記逃がしドレンホース４６の接続口５４は、蓋体５０上に立設し逃がしドレンホース４６内に挿入される挿入部５６と、逃がしドレンホース４６の外径より大きな鍔部５７とから構成され、鍔部５７と蓋体５０との間の周方向には複数の吸気孔５８が形成されており、排水口５１には１本の排水管５９が連通されている。
【００１８】
次にこの一実施形態の作動について説明する。
今契約電力の深夜時間帯では、加熱循環回路３４によって貯湯タンク１下部の低温水を加熱手段２で沸き上げて、高温水を貯湯タンク１上部に戻し、順次この循環を繰り返して午後２３時から翌朝７時迄に貯湯タンク１内全体に高温水を貯湯するようにするものである。
【００１９】
そして、この貯湯タンク１内の高温水を、給湯混合弁５で出湯管４からの高温水と第１給水バイパス管６からの給水とを混合して、給湯設定温度の温水として給湯に利用するものである。
【００２０】
次に湯張り等の風呂給湯を行う場合、台所リモコン８や浴室リモコン１４で湯張りを指示することで、制御手段３０が湯張り電磁弁１８を開成させると共に、風呂混合弁１０を駆動させて閉成状態の風呂出湯管１１を徐々に開成することで、貯湯タンク１上部からの高温水が風呂出湯管１１を介して供給され、一方第２給水バイパス管１２からは給水が供給され、そしてこの高温水と給水とは風呂混合弁１０で、制御手段３０により出湯温度と給水温度と風呂設定温度とから、風呂出湯管１１の湯側開度と第２給水バイパス管１２の水側開度をフィードフォワード制御で調整され、高温水及び給水共に十分な流量で、湯張り管１３及び風呂循環回路１５を介して浴槽１６に、設定温度で設定量の湯張りが行われるものである。
【００２１】
次に貯湯タンク１内の湯水を排水する時には、手動の排水栓４４を開成することで、排水ドレンホース４７を介して集水器４５の接続口５２から対向した直ぐ下の排水口５１に向かって排水されるもので、大量の排水が行われても漏れ出ることなくスムーズに排水されるものである。
【００２２】
又貯湯タンク１内の圧力が所定圧力以上に上昇した場合には、負圧弁付き逃がし弁４３が自動的に開弁して、所定圧力以上の圧力を逃がすが、この時に貯湯タンク１内の高温水が負圧弁付き逃がし弁４３及び逃がしドレンホース４６を介して、集水器４５の接続口５４から圧力上昇分の高温水が排水されるものであり、排水量は圧力上昇分だけなので少なく、傾斜面５３に沿って排水口５１に向かって排水され漏れ出ることなく確実に排水されるものである。
【００２３】
一方断水等で貯湯タンク１内が負圧になった場合には、負圧弁付き逃がし弁４３が開成して吸気し、逃がしドレンホース４６の接続口５４で、鍔部５７と蓋体５０との間の複数の吸気孔５８から確実に空気が吸引され、貯湯タンク１の負圧は破壊されるものであり、鍔部５７と蓋体５０との間に吸気孔５８を設けたことで、逃がしドレンホース４６で閉塞される心配がなく、又流水の範囲外なのでここからの排水の漏れの危険もないものであり、常に確実に負圧を破壊することが出来るものである。
【００２４】
更に断水により給水側が負圧となりホッパー弁２１が開成した場合には、先ずドレン水がホッパードレンホース２２を介して接続口５５から排水され、傾斜面５３に沿って排水口５１にスムーズに排水されるものであり、次に給水側の負圧により鍔部５７と蓋体５０との間の吸気孔５８から空気が吸引されることで、給水側の負圧が破壊されて浴槽水の給水側への侵入が防止されるものである。
【００２５】
このように３つのドレンホース２２、４６、４７を１つの集水器４５に集中させることにより、配管が綺麗にまとまると共に、集水器４５からは１本の排水管５９のみが外に出ているのみで、見栄えが良くスッキリとした外観で長期に渡って使用出来るものである。
【符号の説明】
【００２６】
１  貯湯タンク
２  加熱手段
４  出湯管
１３  湯張り管
１５  風呂循環回路
２１  ホッパー弁
２２  ホッパードレンホース
４３  負圧弁付き逃がし弁
４４  排水栓
４５  集水器
４６  逃がしドレンホース
４７  排水ドレンホース
５０  蓋体
５１  排水口
５２、５４、５５  接続口
５６  挿入部
５７  鍔部
５８  吸気孔
５９  排水管
【図１】
2014062718.tif 000003
【図２】
2014062718.tif 000004
【図３】
2014062718.tif 000005
【図４】
2014062718.tif 000006
【図５】
2014062718.tif 000007